(57)【要約】      （修正有）【課題】誰でも簡単に、しかも間違いなく占いを理解して自分なりに正しく使うことが出来る解析統計万年暦を記載した書籍、雑誌、又はカードを提供する。【解決手段】万年暦は書籍、雑誌、カードなどに記載され、各年度の月ごとに、使うことを控えたい色彩から使うことが好ましい色彩を順次配列し、各色彩間には＜などの記号を記入して配列順を表示している。【選択図】図１
0003201381.tif 000002
【実用新案登録請求の範囲】
【請求項１】
人が私生活において、使うことを控えたい色彩と使うことが好ましい色彩を統計学的に定めて記載した解析統計万年暦において、該万年暦は書籍、雑誌、カードなどに記載され、各年度の月ごとに、使うことを控えたい色彩と使うことが好ましい色彩を順次配列し、各色彩間には＜などの記号を記入して配列順を表示したことを特徴とする解析統計万年暦。
【請求項２】
人が私生活において、使うことを控えたい色彩及び数字と、使うことが好ましい色彩及び数字を統計学的に定めて記載した解析統計万年暦において、該万年暦は書籍、雑誌、カードなどに記載され、各年度の月ごとに、使うことを控えたい色彩及び数字と、使うことが好ましい色彩及び数字を対にして順次配列し、各色彩及び数字間には＜などの記号を記入して配列順を表示したことを特徴とする解析統計万年暦。
【請求項３】
配列した上記色彩及び数字において、守護特別カラー及び守護特別数字を定めた請求項１、又は請求項２記載の解析統計万年暦。
【考案の詳細な説明】
【技術分野】
【０００１】
本考案は占いに関して何ら知識のない素人であっても、簡単に使うことが出来る解析統計万年暦に関するものである。
【背景技術】
【０００２】
占いといってもその種類は数多く、占術ごとにその特徴がある。今日、一般的に知られている占いの種類とその特徴は次のようなものがある。
（１）手相、人相
手相とは掌に今の自分と将来の自分の姿が刻み込まれたメッセージであり、現状を見つめ直して手相から読み取られるメッセージを受け止めることで、自分を変えていくことが出来るとされる。
人相は顔から性格、運気、健康状態が分かり、自分自身で作り上げて行くものであるとされている。
【０００３】
（２）姓名判断
漢字の持つ意味や、数字が持つ神秘的な力の組み合わせによって判断するもので、名は体を表すといわれ、姓名とは常に自分の代表として日常生活や社会生活の中で付いてくる。
人の運命が姓名を構成する文字の画数などによって左右されることから、開運方法として効果的である。したがって、子供の名前、芸名、会社名など、その用途は幅広く使用されている。
【０００４】
（３）気学、風水
気学とは日本古来の伝統的な占いであり、日本独自のものである。この地上にあるもの全ては「気」という生体エネルギーによって影響されているもので、開運のために吉方位を選択することが出来る。
風水は気学とは違い、中国古来の占いである。日本の歴史に残る権力者は風水を活用しており、家の方角、玄関や寝室の位置を変えることで幸運を呼ぶことが出来るとされている。
【０００５】
（４）易学
中国、古来から歴史を持つ儒教の１つである易経の中の教えである。特定の物事の状態と変化を判断することが出来るために、いろいろな問題について占うことが出来る。全神経を集中させてサイコロを振ることで答えを得る易であり、偶然出た答えのようでありながら、実は必然的な答えであり、運命であるとされる。
【０００６】
（５）四柱推命
太古中国から発祥したもので、「過去・現在・未来」を予見する運命学である。高い的中率を誇ると言われ、はっきりと答えが出る占いである。生まれた時の年、月、日、時の４つの柱から生まれ持つ運勢を読み取り、その人の今後の人生と、流れを占うことが出来る。例えば、どのような生き方が適しているかを判断する場合に使うことが出来る。
【０００７】
（６）タロットカード
タロットの起源はユダヤのカバラ思想が理念となっている。カードの絵柄１枚１枚に秘められた神秘的なメッセージから、過去、現在、未来が明確に写し出される。カードには宇宙からのメッセージを受け取ることが出来る不思議な力があり、鑑定師が持っている力を最大限に発揮できるもので、物事の原因・心理から現在の状態を判断し、未来の状況や心理的体験を占い、問題解決の糸口を見出すことが出来る。
【０００８】
（７）西洋占星術
地球を中心に考えた太陽系の惑星と我々の関係である。生まれた時の天体の配置が地上で起こる現象や、我々の心理に働き掛ける。生まれた時の天体の配置を知ることで、心の感じ方や未来が予測出来るとされる。
【０００９】
このように占いは色々知られており、それぞれに特徴があり、用途に応じて使い分けられる。
ところで、これらの占いは理論的な根拠は存在しないが、古来から集積された統計に基づいて構築された考えであり、一種の統計学と言うことも出来る。したがって、占いに基づいて判断するに際して、１００％当たるものではないが、これから先の人生を歩む指針として大きな参考になることは間違いない。
【００１０】
例えば、人生において厄年と言われる年が昔ら存在し、この厄年には神社で厄払いを行うことが一般的である。統計を取るならば、厄年には病気になったり色々な災難に遭遇するケースが多いことは事実である。
また、年間を通して交通事故が多い月日も統計で明らかに成っている。占いはこのような統計を基にして構築されている為に、完全に無視することは出来ない。
【００１１】
しかし、これら従来の占いを全くの素人は理解することは困難であり、しかも市販されている占い誌を使いこなすことは容易でない。占いを商売としている占い師は多く存在し、その為に素人が簡単に使いこなすことが出来るように記載したのでは占い師にとっては好ましくないといった理由もある。
【００１２】
特開２００７−２４１６８９号に係る「四柱推命六十干支求め表セット」は、四柱推命占いにおいて、占い対象者の年柱、月柱、日柱の夫々の六十干支を、嵩張る萬年暦を用いずに簡単に知ることが出来る。
すなわち、番号付きの『六十干支表』と、各年号に対する各月の「節入り」の日を印した『節入り表』と、各年号の年柱、月柱、日柱の各六十干支の番号を求めるための『基本数表』とからなり、基本数表から計算によって得た数字を、『六十干支表』から選んで、対応する各六十干支を知るように構成している。
【特許文献１】特開２００７−２４１６８９号に係る「四柱推命六十干支求め表セット」
【考案の開示】
【考案が解決しようとする課題】
【００１３】
このように、素人にとって数多くある占いを理解して自分なりに使いこなすことは容易でない。本考案が解決しようとする課題はこの問題点であり、誰でも簡単に、しかも間違いなく正しく使うことが出来るように記載した解析統計万年暦を提供する。
【課題を解決するための手段】
【００１４】
本考案に係る解析統計万年暦は、各個人に適合した色彩（カラー）を配列して構成した暦である。この解析統計万年暦はその人が生まれた年月に基づいて統計的に構築したものであり、その人に適合した色彩（カラー）が定められる。日常の生活で使用する物品には色々な色彩を有し、また、衣類にしても各種色彩にて構成されている。すなわち、目に入る物品に色彩のないものは存在せず、そこで、その人に適合した色彩を有す物品を使う方が運勢を高める上で好ましい。
【００１５】
色彩とその人の運勢に関しては昔から知られており、本考案では各年度の月ごとに色彩を配列し、使用するに適さない色彩から使用するに適す色彩を順次に列記した表を構成している。
そして、これら色彩の中で守護特別カラーと守護特別数字が定められ、男性守護特別カラー及び数字と女性守護特別カラー及び数字とに区分されて表示している。
【００１６】
この表に表示される暦は太陽暦でなく明治維新前まで使用されて来た旧暦（太陰暦）として表している。
ここで、本考案に係る解析統計万年暦を表示する具体的な手段は問わないが、一般的には雑誌又は書籍などの各ページに表示する。一方、パソコンの画面に画像として表示することも出来る。
【考案の効果】
【００１７】
本考案の解析統計万年暦は各年度の月ごとに色彩（カラー）を配列したものであり、生れた年月に該当する色彩を知ることが出来る。そこで、該色彩は使用するに適したものから使用するに適さない順番に表示されている。
したがって、この解析統計万年暦を使うことで、私生活において使っても良い色彩と使うことを避ける方が良い色彩が一目で分かる。すなわち、占い誌を使ったことのない全くの素人であっても簡単に使いこなすことが出来る。
【００１８】
具体的な使い方は限定しないが、自分が自由に選択することが出来る色彩であるならば、本考案の解析統計万年暦に基づいて適した色彩を選択することが可能となり、今後の人生を切り開く為の一手段と成る。
例えば、購入する車のボディカラーを選ぶに際して、本考案の解析統計万年暦を使用して決めることが出来る。また、洋服の色彩（カラー）や靴の色などに関しても自分に適した色彩を選択する方が運勢上は好ましい。
【図面の簡単な説明】
【００１９】
【図１】本考案に係る解析統計万年暦を示す１具体例で、１９２６年生まれの場合を示している。
【図２】本考案に係る解析統計万年暦を示す他の具体例で、１９２６年生まれの場合を示している。
【図３】数字と色彩の関係を記載している。
【考案を実施するための形態】
【００２０】
図１は本考案に係る解析統計万年暦を示す具体例であり、１９２６年（大正１５年）に生まれた人の暦である。
同  図の暦は男性及び女性共に共通であり、１月〜１２月における生まれ月ごとに色彩と該色彩に数字が付記されている。ここで、表示されている月は旧暦表示であり、１月とは６日の１０時５４分〜２月の４日２２時３８分までの時間帯を指している。同じく２月とは４日の２２時３８分〜３月の６日１７時００分までの時間帯である。以下、３月、４月、５月・・・・も同暦に記載しているように定まる。
【００２１】
ところで、１９２６年１月生まれの場合、黄色＜水色＜赤色＜緑色＜紫色＜橙色＜紺色＜銀色＜金色のように色彩が配列されている。
ここで、使うことを避けたい色彩は表の左側に位置する黄色と水色であり、そして赤色、緑色，紫色，橙色の順に好ましくない。使うに適している色彩は表の右側に位置する銀色と金色であり、紺色も好ましい。配列している各色彩の間に表示している記号「＜」を持って使用するに不適当な色彩の序列を示している。すなわち、緑色より赤色が悪く、赤色より水色が悪く、水色より黄色が悪い。
【００２２】
また、１９２６年８月生まれの場合には、色彩が水色＜黄色＜金色＜紺色＜紫色＜橙色＜赤色＜銀色＜緑色のように配列されている。そこで、使うことを避けたい色彩は水色と黄色であり、また金色と紺色も好ましくない。これに対して使うに適している色彩は緑色が最もよく、銀色と赤色も好ましい。
さらに、１９２６年１２月生まれの場合には、色彩が水色＜黄色＜緑色＜赤色＜橙色＜紺色＜紫色＜金色＜銀色のように配列されている。そこで、使うことを避けたい色彩は水色と黄色であり、また緑色と赤色も好ましくない。これに対して使うに適している色彩は銀色が最もよく、金色と紫色も好ましい。
【００２３】
図２は本考案に係る解析統計万年暦を示す他の実施例であり、１９２６年（大正１５年）に生まれた人の暦である。
１９２６年１月生まれの場合、４＜６＜２＜５＜８＜３＜７＜１＜９のように数字が列記されている。これら数字は前記図１に示した色彩に相当するもので、色彩を数字に置き換えて表示している。
【００２４】
ここで、使うことを避けたい数字は４と６であり、そして２、５，８，３の順に好ましくない。使うに適している数字は１と９であり、７も好ましい。列記している各数字の間に表示している記号「＜」を持って、使用するに不適当な数字から適している数字の序列を示している。すなわち、５より２が悪く、２より６が悪く、６より４が悪い。ただし、上記「＜」は配列順を定める１具体例であり、この記号に限定することはしない。
【００２５】
また、１９２６年８月生まれの場合には、数字が６＜４＜９＜７＜８＜３＜２＜１＜５のように列記されている。そこで、使うことを避けたい数字は６と４であり、また９と７も好ましくない。これに対して使うに適している数字は５が最もよく、１と２も好ましい。
さらに、１９２６年１２月生まれの場合には、数字が６＜４＜５＜２＜３＜７＜８＜９＜１のように列記されている。そこで、使うことを避けたい数字は６と４であり、また５と２も好ましくない。これに対して使うに適している数字は１が最もよく、９と８も好ましい。
【００２６】
図１では色彩と数字を組み合せて両方を表記している。従って、日常生活において使用する色彩及び数字は上記表を用いて少しでも好ましいものを選択することで、自分の運勢が好転していく可能性が高いと思われる。
ところで、上記色彩は光のプリズムの配列であり、銀色は波長が最も長い。その次に長い波長は赤色であり、これに対して最も短い波長を有す色彩は金色である。
【００２７】
図３は色彩と数字の関係を表したものであり、波長の長い順に、１が銀色、２が赤色、３が橙色、４が黄色、５が緑色、６が水色、７が紺色、８が紫色、９が金色と成っている。
そして、各年度ごとに守護特別カラーと守護特別数字が存在している。１９２６年（大正１５年）生まれの人の場合、守護特別カラー及び守護特別数字は、男性の場合には色彩は赤色であり数字は２と成っている。一方、女性の場合には色彩が黄色であり、数字は４と成っている。
【００２８】
したがって、この色彩及び数字を使用することで色んな点で幸運がもたらされる。すなわち、最後のラッキーカラー、及びラッキーナンバー（数字）が守護特別カラーであり、守護特別数字に該当するならば、心がけて使うことで大きな幸運がもたらされる可能性が高い。
逆に、アンラッキーカラー、及びアンラッキーナンバー（数字）に守護特別カラー、守護特別数字に該当する場合であっても、災難を回避する力があると考えられる。
【００２９】
例えば、この守護特別カラー及び守護特別数字を頻繁に使用することで、厄難災難を避けることが可能となり、幸運がもたらされる。仮に経営者であるならば会社の繁栄がもたらされ、従業員であるならば出世する可能性が高くなり、逆に会社の倒産やリストラといった不運な事態に遭遇しても次の仕事が見つかることを意味している。
【００３０】
本考案の万年暦に列記している色彩及び数字は統計的に構築したものであり、全ての万人に１００％当てはまるものではないが、この暦に列記した好ましい色彩及び数字を出来る限り使用するように心がけるならば、人生は良い方に向かうものと考えられ、逆に好ましくない色彩及び数字の使用は出来る限り避ける方が好ましい。
【００３１】
ところで、上記図１、図２に示した解析統計万年暦は、男性及び女性共に共通し
て使用することが出来る内容になっている。しかし、より正確な解析統計万年暦
として男性用と女性用を別々に構成する場合もある。
【図１】
0003201381.tif 000003
【図２】
0003201381.tif 000004
【図３】
0003201381.tif 000005
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
人が私生活において、使うことを控えたい色彩と使うことが好ましい色彩を統計学的に定めて記載した解析統計万年暦であって、各年度の月ごとに、使うことを控えたい色彩と使うことが好ましい色彩を順次配列し、各色彩間には＜などの記号を記入して配列順を表示したことを特徴とする解析統計万年暦を記載した書籍、雑誌、又はカード。
【請求項２】
人が私生活において、使うことを控えたい色彩及び数字と、使うことが好ましい色彩及び数字を統計学的に定めて記載した解析統計万年暦であって、各年度の月ごとに、使うことを控えたい色彩及び数字と、使うことが好ましい色彩及び数字を対にして順次配列し、各色彩及び数字間には＜などの記号を記入して配列順を表示したことを特徴とする解析統計万年暦を記載した書籍、雑誌、又はカード。
【請求項３】
配列した上記色彩及び数字において、守護特別カラー及び守護特別数字を定めた請求項１、又は請求項２記載の解析統計万年暦を記載した書籍、雑誌、又はカード。